(57)【要約】【課題】統一感のあるアルバム画像を、容易に作成する。【解決手段】写真画像を色調補正した後にテンプレート画像に合成する場合には、写真画像の代表色とテンプレート画像の色との色較差を求める。求められた色較差から色調補正値を算出し、写真画像を色調補正した後に、テンプレート画像に合成する。写真画像に対してグルーピングを行う場合には、上述した色較差が基準範囲内となるか否かによって、テンプレート画像に合成する写真画像として適しているか否かを判定し、適していると判定された写真画像をテンプレート画像に合成する。【選択図】        図６
2006350462.tif 000002
【特許請求の範囲】
【請求項１】
静止画像の基になる静止画像データの読み取りを行うデータ読み取り手段と、
前記静止画像が合成されるテンプレート画像をテンプレート画像データとして複数記憶するテンプレート画像記憶手段と、
１つのアルバム画像における色調が統一されるように、前記静止画像の編集を行う画像編集手段と、
前記画像編集手段において画像編集された静止画像と、前記テンプレート画像とを合成する画像合成手段と、
前記画像合成手段によって作成されたアルバム画像をアルバム画像データとして記憶媒体に書き込むデータ書き込み手段とを備えたことを特徴とするアルバム画像作成装置。
【請求項２】
前記画像編集手段は、前記アルバム画像の作成時に選択されるテンプレート画像の色に基づいて、前記静止画像の色調を補正する色調補正手段を備えていることを特徴とする請求項１記載のアルバム画像作成装置。
【請求項３】
前記画像編集手段は、前記静止画像の色調に基づいて、前記テンプレート画像の色を決定する色決定手段を備えていることを特徴とする請求項１又は２記載のアルバム画像作成装置。
【請求項４】
前記画像編集手段は、前記テンプレート画像の色に基づいて、該テンプレート画像に合成する静止画像を選択する画像選択手段を備えていることを特徴とする請求項１〜３いずれか記載のアルバム画像作成装置。
【請求項５】
静止画像の基になる静止画像データの読み取りを行うデータ読み取り手段と、
前記静止画像が合成されるテンプレート画像をテンプレート画像データとして複数記憶するテンプレート画像記憶手段と、
１つのアルバム画像における色調が統一されるように、前記静止画像の編集を行う画像編集手段と、
前記画像編集手段において画像編集された静止画像と、前記テンプレート画像とを合成する画像合成手段と、
前記画像合成手段によって作成されたアルバム画像をアルバム画像データとして記憶媒体に書き込むデータ書き込み手段としてコンピュータを機能させることを特徴とするアルバム画像作成プログラム。
【請求項６】
前記画像編集手段の機能として、前記アルバム画像の作成時に選択されるテンプレート画像の色に基づいて、前記静止画像の色調を補正する色調補正手段の機能が含まれていることを特徴とする請求項５記載のアルバム画像作成プログラム。
【請求項７】
前記画像編集手段の機能として、前記静止画像の色調に基づいて、前記テンプレート画像の色を決定する色決定手段の機能が含まれていることを特徴とする請求項５又は６記載のアルバム画像作成プログラム。
【請求項８】
前記画像編集手段の機能として、前記テンプレート画像の色に基づいて、該テンプレート画像に合成する静止画像を選択する画像選択手段の機能が含まれていることを特徴とする請求項５〜７いずれか記載のアルバム画像作成プログラム。
【発明の詳細な説明】
【技術分野】
【０００１】
本発明は、複数の静止画像を用いてアルバム画像データを作成するアルバム画像作成装置、及びアルバム画像作成プログラムに関するものである。
【背景技術】
【０００２】
デジタルカメラやビデオカメラによって得られた写真画像をパーソナルコンピュータ（ＰＣ）の内部に取り込んで、アルバムを作成するソフトが提供されている。また、インターネット上で上述した写真画像を用いてアルバムを作成するサービスや、写真画像を記憶した記憶媒体をサービス業者に依託して、上述したアルバムを作成してもらうサービスも提供されている。
【０００３】
例えば、アルバム画像を作成するソフトを用いた場合、モニタに表示されたテンプレート画像から意図するテンプレート画像を選択し、選択されたテンプレート画像に設けられたレイアウト枠に写真画像を順次配置していき、アルバム画像が作成される。この場合、テンプレート画像に設けられたレイアウト枠は、予め固定、或いは、写真画像を配置したときに位置調整ができるようになっている（特許文献１）。このように、アルバム画像を作成するソフトを用いた場合には、アルバム画像作成時の操作が容易であり、簡単にアルバム画像を作成することができる。また、ＰＣによって接続したインターネット上でアルバム画像を作成する場合も同様である。
【０００４】
一方、結婚式や入学式などの記念としてのアルバム画像は、専用のデザイナーによって作成されるのが一般的である。この場合、依頼者からアルバム画像のテーマやデザイン等の聞き取りを行って、或いは、預かった写真画像データからデザイナーが判断して、テンプレート画像のデザインや、テンプレート画像の色が決定される。この際、アルバム画像に使用される写真画像データは、テンプレート画像の色に合わせた色調補正が行われた後に、テンプレート画像に合成される。このようにして作成されたアルバム画像は、魅力的なアルバム画像となり、依頼者が満足するものとなる。
【特許文献１】特許第２９８２１４９号公報
【発明の開示】
【発明が解決しようとする課題】
【０００５】
例えば、上述したソフトを用いて作成されたアルバム画像や、インターネット上で上述した写真画像データを用いて作成されたアルバム画像の場合には、低価格で作成でき、アルバム画像の作成にかかる時間も短くて済むという利点があるが、単に写真画像データをテンプレート画像に合成していくため、作成されたアルバム画像は統一感のない場合があるという問題がある。一方、デザイナーの手によって作成されるアルバム画像は、色調補正が施されるため、合成された写真画像とテンプレート画像との統一感があり、魅力的なアルバム画像となるが、アルバム画像を作成するときの費用が高く、また、アルバム画像を作成するのに費やされる時間がかかってしまうため、記念としてのアルバム画像を取得する以外で、活用しづらいという問題がある。
【０００６】
本発明は、上記課題を解決するためになされたものであり、魅力的なアルバム画像を安価で、且つ容易に作成することができるようにしたアルバム画像作成装置、及びアルバム画像作成プログラムを提供するものである。
【課題を解決するための手段】
【０００７】
本発明のアルバム画像作成装置は、静止画像の基になる静止画像データの読み取りを行うデータ読み取り手段と、前記静止画像が合成されるテンプレート画像をテンプレート画像データとして複数記憶するテンプレート画像記憶手段と、１つのアルバム画像における色調が統一されるように、前記静止画像の編集を行う画像編集手段と、前記画像編集手段において画像編集された静止画像と、前記テンプレート画像とを合成する画像合成手段と、前記画像合成手段によって作成されたアルバム画像をアルバム画像データとして記憶媒体に書き込むデータ書き込み手段とを備えたことを特徴とする。
【０００８】
また、前記画像編集手段は、前記アルバム画像の作成時に選択されるテンプレート画像の色に基づいて、前記静止画像の色調を補正する色調補正手段を備えていることを特徴とする。
【０００９】
また、前記画像編集手段は、前記静止画像の色調に基づいて、前記テンプレート画像の色を決定する色決定手段を備えていることを特徴とする。
【００１０】
また、前記画像編集手段は、前記テンプレート画像の色に基づいて、該テンプレート画像に合成する静止画像を選択する画像選択手段を備えていることを特徴とする。
【００１１】
また、本発明のアルバム画像作成プログラムは、静止画像の基になる静止画像データの読み取りを行うデータ読み取り手段と、前記静止画像が合成されるテンプレート画像をテンプレート画像データとして複数記憶するテンプレート画像記憶手段と、１つのアルバム画像における色調が統一されるように、前記静止画像の編集を行う画像編集手段と、前記画像編集手段において画像編集された静止画像と、前記テンプレート画像とを合成する画像合成手段と、前記画像合成手段によって作成されたアルバム画像をアルバム画像データとして記憶媒体に書き込むデータ書き込み手段としてコンピュータを機能させることを特徴とする。
【００１２】
また、前記画像編集手段の機能として、前記アルバム画像の作成時に選択されるテンプレート画像の色に基づいて、前記静止画像の色調を補正する色調補正手段の機能が含まれていることを特徴とする。
【００１３】
前記画像編集手段の機能として、前記静止画像の色調に基づいて、前記テンプレート画像の色を決定する色決定手段の機能が含まれていることを特徴とする。
【００１４】
また、前記画像編集手段の機能として、前記テンプレート画像の色に基づいて、該テンプレート画像に合成する静止画像を選択する画像選択手段の機能が含まれていることを特徴とする。
【発明の効果】
【００１５】
本発明のアルバム画像作成装置によれば、静止画像の基になる静止画像データの読み取りを行うデータ読み取り手段と、前記静止画像が合成されるテンプレート画像をテンプレート画像データとして複数記憶するテンプレート画像記憶手段と、１つのアルバム画像における色調が統一されるように、前記静止画像の編集を行う画像編集手段と、前記画像編集手段において画像編集された静止画像と、前記テンプレート画像とを合成する画像合成手段と、前記画像合成手段によって作成されたアルバム画像をアルバム画像データとして記憶媒体に書き込むデータ書き込み手段とを備えたから、例えば、デザイナー等の専門的に知識がある作業者しか作成することができなかった統一感のあるアルバムを容易に作成することができる。
【００１６】
また、前記画像編集手段は、前記アルバム画像の作成時に選択されるテンプレート画像の色に基づいて、前記静止画像の色調を補正する色調補正手段を備えているから、静止画像に対して色調補正を行う作業を自動的に行わせることができるので、作業性を向上させることができる。また、デザイナー等の特定の作業者以外であっても、統一感のあるアルバム画像を容易に作成することができる。
【００１７】
また、前記画像編集手段は、前記静止画像の色調に基づいて、前記テンプレート画像の色を決定する色決定手段を備えているから、予めテンプレート画像を選択しない場合であっても、統一感のあるアルバム画像を容易に作成することができる。
【００１８】
また、前記画像編集手段は、前記テンプレート画像の色に基づいて、該テンプレート画像に合成する静止画像を選択する画像選択手段を備えているから、例えば写真画像の色調補正を行わなくても、統一感のあるアルバム画像を容易に作成することができる。
【発明を実施するための最良の形態】
【００１９】
図１は、アルバム画像作成装置の構成の一例を示す機能ブロック図である。このアルバム画像作成装置１０は、写真画像データＰＤ１とテンプレート画像データＴＤとを用いてアルバム画像データＡＤ１を作成するものである。なお、アルバム画像作成装置１０において作成されたアルバム画像データＡＤ１は、一旦ＲＡＭ１７に記憶された後に、画像表示部４５にプレビュー画像として表示される。なお、ＲＡＭ１７に記憶されたアルバム画像データＡＤ１は、データ書き込み部４３によって、磁気ディスクや、ＣＤ−Ｒ（Ｃｏｍｐａｃｔ  Ｄｉｓｋ  Ｒｅｃｏｒｄａｂｌｅ）等の光ディスクからなる記憶媒体４４に記憶される、或いはプリンタ４７に転送されることによって、アルバム画像がプリントされる。なお、写真画像データとしては、デジタルカメラやカメラ付き携帯電話などの撮像装置により得られた写真画像データが挙げられる他に、写真フイルム、印画紙に記録された画像を光電的に読み取ることにより取得された写真画像データを含むものとする。また、静止画像として写真画像について説明するが、静止画像としては、写真画像の他に、パーソナルコンピュータ（ＰＣ）で作成された絵やマーク等の画像も含まれる。
【００２０】
アルバム画像作成装置１０は、ＣＰＵ１５、ＲＯＭ１６、ＲＡＭ１７を主要部とし、ＣＰＵ１５は、ＲＯＭ１６に記憶されたアルバム作成プログラムＰＧ１を実行することにより、制御部２０、代表色検出部２１、目標色検出部２２、テンプレート選択部２３、画像編集部２４、アルバム画像合成部２５として機能する。
【００２１】
代表色検出部２１は、ＲＡＭ１７から写真画像の写真画像データＰＤ１を読み出し、そのヒストグラムを作成する。ヒストグラムは、周知のように、写真画像データＰＤ１の輝度情報及びＲ，Ｇ，Ｂの色情報を画素ごとに検出し、特定の階調値に属する画素数をＲ，Ｇ、Ｂの色成分ごとにカウントした度数分布である。また、代表色検出部２１は、算出されたヒストグラムからその代表値を求める。ヒストグラムの代表値としては、平均値、中央値、最頻値等があり、いずれか１つの値が代表値に選択される。なお、ヒストグラムとしては、特定の階調値に属する画素数をＲ，Ｇ、Ｂの色成分ごとにカウントした度数分布の他に、色を１６進数で示したカラーコードに対して、該カラーコードに属する画素数をカウントした度数分布が挙げられる。
【００２２】
目標色検出部２２は、アルバム作成に使用される写真画像の代表色を平均し、各静止画の代表色の比較対象となる目標色を検出する。この目標色は、アルバム画像を作成したときの、１つのアルバム画像における方向性を示す色である。この目標色は、入力操作部４６を介してユーザーにより指定された色が適用される場合と、目標色検出部２２により検出された目標色が適用される場合の２通りがあり、いずれの場合とするかはアルバム作成時にユーザーが選択することになる。
【００２３】
テンプレート選択部２３は、ユーザーにより目標色が指定された場合に、或いは、目標色検出部２２において目標色が検出された場合に、目標色をテンプレート画像の色として使用しているテンプレート画像データＴＤをデータベース３０に設けられたテンプレートフォルダ３１から読み出す。
【００２４】
画像編集部２４は、テンプレート画像データＴＤと写真画像データＰＤ１とを用いてアルバム画像データＡＤ１を作成する場合に、写真画像データＰＤ１に基づく写真画像を編集するために設けられている。この画像編集部２４は、色較差演算部３５、色調補正部３６、画像振り分け部３７等から構成されている。
【００２５】
色較差演算部３５は、代表色と目標色とを色成分ごとに比較し、代表色と目標色の違いを示す色較差の値を算出する。この色較差の値は、色調補正部３６、或いは画像振り分け部３７によって参照される。
【００２６】
色調補正部３６は、色調補正後の写真画像をテンプレート画像に合成することによってアルバム画像を作成する場合に作動する。この色調補正部３６は、色較差演算部３５において得られた色較差の値が基準範囲内であるか否かを判定し、色較差の値が基準範囲内であると判定された写真画像に対し、色較差の値から色調補正値を算出する。この色調補正値は、写真画像に対して、Ｒ，Ｇ，Ｂの色成分をそれぞれどの程度増減するかを決める値である。色調補正部３６は、色調補正値を算出した後に、該色調補正値に基づいて写真画像の色調を補正する画像処理を行う。
【００２７】
画像振り分け部３７は、テンプレート画像に合成する写真画像として適している写真画像か否かを判定し、該判定において適していると判定された写真画像を該テンプレート画像に合成することによってアルバム画像を作成する場合に作動する。この画像振り分け部３７は、色較差演算部３５において得られた色較差の値が基準範囲内であるか否かを判定し、色較差の値が基準範囲内であると判定された写真画像を、テンプレート画像に合成する写真画像として適している写真画像とする。そして、色較差の値が基準範囲以内であると判定された写真画像の写真画像データＰＤ１に対して、例えば合成するテンプレート画像、合成順序等の情報を付与する。なお、テンプレート画像に合成する写真画像として適しているとは、例えばテンプレート画像の色と、写真画像の代表色が近似していることが挙げられる。なお、画像振り分け部における基準範囲と、色調補正部における基準範囲は、同一範囲としてもよいし、異なる範囲としてもよい。
【００２８】
アルバム画像合成部２５は、テンプレート選択部２３によって選択されたテンプレート画像と写真画像とを合成することによって、アルバム画像を作成する。詳細は記載しないが、テンプレート画像は、写真画像が配置される領域（以下、レイアウト領域）と、文字やイラスト等が配置される背景領域とが設けられており、色調補正部３６によって色調補正が行われた写真画像、或いは、画像振り分け部３７において、テンプレート画像に合成する写真画像として適していると判定された写真画像に対して、レイアウト領域に合わせたトリミング処理が行われる。このトリミング処理が行われた写真画像をテンプレート画像にはめ込むことによって、アルバム画像が作成される。なお、アルバム画像合成部２５によって作成されたアルバム画像に基づくアルバム画像データＡＤ１は、ＲＡＭ１７に記憶される。
【００２９】
データ読み取り部４０は、例えば磁気ディスクや、ＣＤ−Ｒ（Ｃｏｍｐａｃｔ  Ｄｉｓｋ  Ｒｅｃｏｒｄａｂｌｅ）等の光ディスクからなる記憶媒体４１に記憶された写真画像データの読み取りを行うために設けられている。データ読み取り部４０において読み取られた写真画像データＰＤ１はＲＡＭ１７に記憶され、ＣＰＵ２０においてアルバム作成プログラムＰＧ１が実行された場合に、該写真画像データＰＤ１が使用される。
【００３０】
データ書き込み部４３は、アルバム作成プログラムＰＧ１を実行することによって得られたアルバム画像データＡＤ１を、例えば磁気ディスクや、ＣＤ−Ｒ（Ｃｏｍｐａｃｔ  Ｄｉｓｋ  Ｒｅｃｏｒｄａｂｌｅ）等の光ディスクからなる記憶媒体４４に書き込むために設けられている。
【００３１】
画像表示部４５は、例えば液晶パネルを備え、アルバム画像作成を実行する際の入力表示、データ読み取り部４０によって読み取られた写真画像表示、或いは作成されたアルバム画像のプレビュー画像の表示が行われる。入力操作部４６は、キーボードやマウス、タッチパネルなどからなり、アルバム画像作成時の入力操作や、プレビュー画像に基づいた修正を行う際に操作される。
【００３２】
このようなアルバム作成装置１０において、アルバム作成プログラムＰＧ１が実行されると、図２に示すように、画像表示部４５の表示画面４５ａに、アルバム作成において使用するテンプレート画像の色の選択画面が表示される。ユーザーがテンプレート画像の色を指定する場合には、「カラーパレットから選択」を選択し、選択画面に表示される例えば１２８色のカラーパレット５０からユーザーの指定する色を選択する。一方、ユーザーによるテンプレート画像の色の指定を行わない場合には、「自動選択」を選択する。なお、これら選択はポインタ５１によって行われ、ユーザーによって選択された後に、決定ボタン５２を操作することによって、テンプレート画像の色の選択が終了する。
【００３３】
図３に示すように、テンプレート画像の色が選択されると、表示画面４５ａがアルバム画像を作成する際に使用する写真画像ファイルの選択画面に切り替わる。例えば、ユーザーが読み込まれた写真画像の一部分をアルバム画像の作成に使用する場合には、「画像の選択」を選択し、画像リスト欄５５から、ユーザーの意図する写真画像の画像ファイル名を選択し、選択ボタン５６を操作する。選択ボタン５６を操作すると、選択画像リスト欄５７に選択された画像ファイル名が表示される。なお、この際、表示画面４５ａの表示領域４５ｂには、読み込まれた写真画像データを使用したサムネイル画像が表示されるので、ユーザーはサムネイル画像を見ながら、アルバム画像に使用する写真画像を選択することも可能である。ユーザーがアルバム画像を作成する際に使用する写真画像の選択が行った後、実行ボタン５８を操作する。
【００３４】
一方、読み込まれた画像を全てアルバム画像の作成に使用する場合には、「全画像を選択」を選択した後に、実行ボタン５８を操作する。これにより、アルバム画像の作成に使用する写真画像の選択が終了する。なお、符号５９は取消ボタンであり、この取消ボタン５９が操作されると、選択画像リスト欄５７に表示された画像ファイル名を取り消す、つまり、選択した画像ファイルを取り消す場合に使用されるボタンである。
【００３５】
アルバム画像を作成する際に使用する写真画像の選択が終了すると、図４に示すように、表示画面４５ａには、アルバム画像の編集方法の選択画面が表示される。この選択画面においては、アルバム画像に使用する写真画像において色調補正を行った後にテンプレート画像との合成を行う、或いは、写真画像がテンプレート画像に合成する写真画像として適しているか否かの判定（グルーピング）を行って、合成する写真画像として適している写真画像を、該テンプレート画像に合成するかが選択される。
【００３６】
例えば、写真画像に対して色調補正を行った後に、テンプレート画像に合成することで、アルバム画像を作成する場合には「写真画像の色調補正」を選択し、実行ボタン６０を操作する。一方、写真画像のグルーピングを行って、テンプレート画像に適している写真画像を該テンプレート画像に合成することで、アルバム画像を作成する場合には、「写真画像をグルーピング」を選択し、実行ボタン６０を操作する。なお、符号６１はキャンセルボタンであり、写真画像の編集方法の選択を取り消す場合に操作される。
【００３７】
アルバム画像の編集方法が選択され、実行ボタン６１が操作されると、選択した項目に合わせて写真画像の画像編集が行われ、アルバム画像が作成される。作成されたアルバム画像に基づくアルバム画像データＡＤ１は、ＲＡＭ１７に記憶される。図５に示すように、アルバム画像データＡＤ１が作成されると、表示画面４５ａには、作成されたアルバム画像データＡＤ１に基づいたアルバム画像６４が、プレビュー表示される。ユーザーは、作成されたプレビュー表示されたアルバム画像６４を参照し、意図するアルバム画像となる場合には、保存ボタン６２を操作する。この保存ボタン６２が操作されると、例えば、データ書き込み部４３にセットされた記憶媒体４４に作成されたアルバム画像データＡＤ１が記憶される。一方、印刷ボタン６３が操作されると、作成されたアルバム画像データＡＤ１がプリンタ４７に転送され、プリンタ４７において転送されたアルバム画像データＡＤ１を用いたアルバム画像がプリントされる。
【００３８】
次に、本発明のアルバム画像作成装置１０における作用を、図６に示すフローチャートに基づいて説明する。データ読み取り部４０によって記憶媒体４１に記憶された写真画像データＰＤ１の読み取りが終了した後に、テンプレート画像の色の選択、写真画像の選択、写真画像の編集方法の選択のそれぞれを選択することで、アルバム画像の作成が実行される。アルバム画像の作成が実行されると、まず代表色検出部２１において、アルバム画像に使用される写真画像の代表色が、各写真画像について決定される。
【００３９】
例えば、テンプレート画像の色の選択画面で、テンプレート画像の色の選択（指定）が行われている場合には、テンプレート選択部２３は、指定された色を使用したテンプレート画像データＴＤをデータベース３０のテンプレートフォルダ３１から読み出す。一方、テンプレート画像の色の選択がされていない場合には、目標色検出部２２は、代表色決定部２１で検出された写真画像の代表色の平均値を算出し、目標色を検出する。テンプレート選択部２３は、目標値検出部２２によって検出された目標色を用いたテンプレート画像データＴＤを、データベース３０のテンプレートフォルダ３１から読み出す。そして、色較差演算部３５において、各写真画像の代表色と、テンプレート画像の色との色較差を色成分毎に演算する。
【００４０】
例えば、アルバム画像の編集方法として、色調補正を行った後にテンプレート画像と合成する編集方法が選択されている場合、色調補正部３６は、色較差演算部３５において演算された色較差が基準範囲内となるか否かを判定する。例えば色較差が基準範囲内となる場合には色調補正値が算出され、算出された色調補正値に基づいて、写真画像が色調補正される。一方、基準範囲外となる場合には、写真画像に対する色調補正を行わない。全ての写真画像について判定が終了すると、アルバム画像合成部２５は、テンプレート画像と選択された写真画像とを合成し、アルバム画像を作成する。この場合、写真画像がテンプレート画像に合わせて色調補正されることによって１つのアルバム画像が統一感のある色調のアルバム画像となる。また、アルバム画像が複数ある場合も、同様であり、アルバム画像全体として統一感のあるものとなる。
【００４１】
一方、アルバム画像の編集方法が、テンプレート画像に合成する写真画像として適しているか否かの判定、つまりグルーピングを行う編集方法が選択されている場合、画像振り分け部３７が作動する。画像振り分け部３７は、色較差演算部３５において演算された色較差が基準範囲内となるか否かを判定する。例えば、色較差が基準範囲内となる場合には、テンプレート画像に合成する写真画像として適していると判定され、この判定に基づく情報が対応する写真画像データＡＤ１に付与される。一方、色覚差が基準範囲外となる場合には、テンプレート画像に合成する写真画像として適していないと判定される。この場合、データの付与は行わない。
【００４２】
アルバム画像合成部２５は、テンプレート画像に合成する写真画像として適していると判定された写真画像を、該当するテンプレート画像に合成することによって、アルバム画像を作成する。この場合、テンプレート画像に合わせて写真画像がグルーピングされることによって、１つのアルバム画像が統一感のある色調のアルバム画像となる。この場合、アルバム画像を複数作成した場合、アルバム画像全体が色調毎に編集されることになるから、アルバム画像全体において魅力のあるものとなる。
【００４３】
以上のように、本発明の実施形態について説明したが、本発明は上記実施形態に限られず、適宜の変更が可能である。例えば、上記実施形態のアルバム画像作成装置１０は、アルバム画像を作成する専用の装置として構成されているが、アルバム作成プログラムＰＧ１が組み込まれたデジタルスチルカメラ、又はパーソナルコンピュータによってアルバム画像を作成するようにしてもよい。
【００４４】
本実施形態では、色調補正を行う際に、色較差が基準範囲外となる写真画像については、色調補正を行わないようにしているが、これに限定する必要はなく、色調補正を行うようにすることも可能である。
【００４５】
また、グルーピングを行って、テンプレート画像に合成する写真画像として適していない写真画像については触れていないが、例えば、テンプレート画像に合成する写真画像として適していない写真画像で再度目標色を決定し、該決定に基づいた目標色を用いたテンプレート画像に合成する、或いは、色調補正を行って、テンプレート画像に合成する等の適宜の処理を行わせることが可能である。
【００４６】
本実施形態では、写真画像の編集方法として、色調補正を行う場合と、グルーピングを行う場合との両方の場合を行うようにしたが、これに限定する必要はなく、どちらか一方を行うアルバム画像作成装置としてもよい。
【図面の簡単な説明】
【００４７】
【図１】本発明のアルバム画像作成装置の構成を示す機能ブロック図である。
【図２】アルバム画像作成時の表示画面であって、テンプレート画像の色を選択する際の表示画面の一例を示す説明図である。
【図３】アルバム画像作成時の表示画面であって、アルバム画像作成に使用される写真画像を選択する際の選択画面の一例を示す説明図である。
【図４】アルバム画像作成時の表示画面であって、写真画像の編集方法を選択する際の表示画面の一例を示す説明図である。
【図５】アルバム画像作成時の表示画面であって、プレビュー画像を表示する際の表示画面の一例を示す説明図である。
【図６】アルバム画像作成の流れを示すフローチャートである。
【符号の説明】
【００４８】
１０  アルバム画像作成装置
１５  ＣＰＵ
１６  ＲＯＭ
１７  ＲＡＭ
２０  制御部
２１  代表色検出部
２２  目標色検出部
２３  テンプレート選択部
２４  画像編集部
２５  アルバム画像合成部
３０  データベース
３５  色較差演算部
３６  色調補正部
３７  画像振り分け部
４０  データ読み取り部
４１，４４  記憶媒体
４３  データ書き込み部
４５  画像表示部
ＡＤ１  アルバム画像データ
ＰＤ１  写真画像データ
ＰＧ１  アルバム作成用プログラム
ＴＤ  テンプレート画像データ
【図１】
2006350462.tif 000003
【図２】
2006350462.tif 000004
【図３】
2006350462.tif 000005
【図４】
2006350462.tif 000006
【図５】
2006350462.tif 000007
【図６】
2006350462.tif 000008